(57)【要約】【課題】冷蔵貯蔵室の一画に冷凍空間を配設し、この冷蔵貯蔵室と冷凍空間を区画する断熱仕切壁に温度補償ヒータを設けた冷蔵庫において、冷蔵室を加熱し過ぎることなく温度補償ヒータの通電効率の高い冷蔵庫を得る。【解決手段】冷蔵用蒸発器と冷蔵用ファンによって冷却される冷蔵貯蔵室と、冷凍用蒸発器と冷凍用ファンによって冷却される冷凍貯蔵室と、前記冷蔵貯蔵室の一画に設けられ自動製氷装置を有した製氷室と、前記冷蔵貯蔵室と前記製氷室を区画する断熱仕切壁と、この断熱仕切壁に取付けられ前記冷蔵貯蔵室の冷え過ぎを防止する温度補償ヒータとを備え、前記製氷室が製氷運転中であるか否かを検出し（Ｓ２）、製氷中でなければ、前記温度補償ヒータ出力を減少又は温度補償ヒータを停止させる（Ｓ４）。【選択図】　図１
2004108625.tif 000002
【特許請求の範囲】
【請求項１】
冷蔵用蒸発器と冷蔵用ファンによって冷却される冷蔵貯蔵室と、冷凍用蒸発器と冷凍用ファンによって冷却される冷凍貯蔵室と、前記冷蔵貯蔵室の一画に設けられ自動製氷装置を有した製氷室と、前記冷蔵貯蔵室と前記製氷室を区画する断熱仕切壁と、この断熱仕切壁に取付けられ前記冷蔵貯蔵室の冷え過ぎを防止する温度補償ヒータとを備え、前記製氷室が製氷運転中であるか否かを検出し、製氷中でなければ、前記温度補償ヒータ出力を減少又は温度補償ヒータを停止させることを特徴とする冷蔵庫。
【請求項２】
貯蔵庫本体上部に設け冷蔵用蒸発器と冷蔵用ファンによって冷却される冷蔵貯蔵室と、貯蔵庫本体下部に設け冷凍用蒸発器と冷凍用ファンによって冷却される冷凍貯蔵室と、この冷凍貯蔵室と離間して前記冷蔵貯蔵室の一画に設けられ自動製氷装置を有した製氷室と、この製氷室に冷凍用蒸発器で生成された冷気を供給するダクトと、このダクトを介して前記冷凍用蒸発器で生成された冷気を前記製氷室に送風する補助ファンと、前記冷蔵室と前記製氷室を区画する断熱仕切壁と、この断熱仕切壁に取付けられ前記冷蔵貯蔵室の冷え過ぎを防止する温度補償ヒータとを備え、前記製氷室が製氷中であるか否かを検出し、製氷中でなければ、前記補助ファンを停止させるとともに、前記温度補償ヒータ出力を減少又は温度補償ヒータを停止させることを特徴とする冷蔵庫。
【請求項３】
冷蔵用蒸発器と冷蔵用ファンによって冷却される冷蔵貯蔵室と、冷凍用蒸発器と冷凍用ファンによって冷却される冷凍貯蔵室と、前記冷蔵貯蔵室の一画に設け、前記冷凍用蒸発器で生成された冷気により冷却される冷凍空間と、前記冷蔵貯蔵室と前記冷凍空間を区画する断熱仕切壁と、この断熱仕切壁に取付けられ前記冷蔵貯蔵室の冷え過ぎを防止する温度補償ヒータとを備え、冷蔵貯蔵室又は冷凍貯蔵室において過負荷が生じているか否かを検出し、過負荷が生じていれば前記温度補償ヒータ出力を減少又は温度補償ヒータを停止させることを特徴とする冷蔵庫。
【請求項４】
冷蔵貯蔵室又は冷凍貯蔵室の庫内温度が所定値以上になったときに、過負荷が生じていると検出することを特徴とする請求項３記載の冷蔵庫。
【請求項５】
外気温が所定値以上になったときに、過負荷が生じていると判断することを特徴とする請求項３記載の冷蔵庫。
【請求項６】
冷蔵貯蔵室の前面開口を閉塞する扉と、この扉の開閉状態を検知する扉検知手段を備え、前記扉検知手段が、扉の開放を所定時間検出したときに、過負荷が生じていると判断することを特徴とする請求項３記載の冷蔵庫。
【発明の詳細な説明】
【０００１】
【発明の属する技術分野】
本発明は、冷凍用蒸発器より生成した冷気を、冷蔵室の一画に設けた冷凍空間に送風する冷蔵庫に関する。
【０００２】
【従来の技術】
従来より、野菜室や切替室の底面などに温度補償ヒータを設け、庫内の冷え過ぎを防止している。これは、冷凍温度帯の冷凍室などと断熱仕切壁を介して設けられた野菜室や切替室は、冷凍温度の影響を受けて過冷却となる場合があり、このとき野菜室などは貯蔵している野菜などの食品が凍結してしまうことになる。このため、冷凍室などの冷却運転に合わせて温度補償ヒータを通電制御して庫内の冷え過ぎを防止していた。
【０００３】
また、近年、食生活の多様化とともに収納量も大型化傾向にあり、特に家庭用冷蔵庫においては、収納内容積が５００リットルを超えるクラスの冷蔵庫も要望されている。この冷蔵庫の大型化に伴い冷蔵庫の高さ寸法を大きくしなければならず、使用頻度が高い貯蔵室が下方に配置されていると取出し作業が不便となる。そこで、出願人は使用者の利便性を考慮して、一般的に下方に位置していると氷の取出し作業が不便となる製氷室を冷蔵室の一角に配設した構成を創出した。
【０００４】
【特許文献１】特願２００１−３１４７１１公報（図２）
【０００５】
【発明が解決しようとする課題】
上記冷蔵庫構成においても冷蔵室の一角に製氷室を設けているため、冷蔵室の冷え過ぎが懸念される。そこで、温度補償ヒータを製氷室に設けて冷蔵室の冷え過ぎを防止すべく従来と同様の制御を行うことが考えられるが、通電制御を効果的に行うことができないものであった。
【０００６】
これは、従来の一般的な冷蔵庫の形態では、製氷室と冷凍室は隣接しているため、両室は略同温で保持されているのに対し、出願人が創出した冷蔵庫の形態は、製氷室と冷凍室は野菜室を介して離間しているため、製氷室の温度は冷凍室と比べ若干高くなり、この場合、温度補償ヒータの通電を従来と同制御で行なうと、加熱し過ぎてしまうことになる。
【０００７】
また、製氷室の背面に補助ファンを設けることにより製氷室の冷気風量を確保して庫内温度を冷凍室とほぼ同温となるような構成を採った場合でも、製氷室が製氷中のときと、それ以外の場合では、庫内の目標温度は異なってくるため従来と同様の制御を行うことができない。
【０００８】
これは、従来の構成においては製氷室と冷凍室は隣接しているため、製氷をおこなっていない場合でも、庫内に冷気が流入することになるが、補助ファンの回転により強制的に冷気を製氷室に送風する構成では、製氷中以外は庫内を氷が溶けない温度、例えば−１２℃程度に保持していればよいため、補助ファンを停止させることが好ましい。しかしこの場合、冷凍室と製氷室は大きく温度差が生じるため、温度補償ヒータを従来と同様に冷凍室の運転状況と同期させて運転制御しても、製氷室は、比較的高い温度で保持されているため、加熱し過ぎることになる。
【０００９】
一般的に製氷室に冷却制御専用の温度センサを設ければ、係る問題を解消することができるが、コストアップとなり作業性も悪くなるため、好ましい対処方法であった。
【００１０】
一方、長時間にわたる扉の開放や外気温などの影響を受けて、例えば目標温度に対して庫内温度が著しく上昇し、又は庫外への熱リークが高い場合に過負荷が発生する。このとき、つまり貯蔵室内が比較的高温になっている場合に、温度補償ヒータを通常通りの通電制御で行うと、温度補償効果以上の加熱を行うことになり通電効率が悪く、加熱し過ぎて目標温度を超えた温度上昇を招くことになる。
【００１１】
本発明は、上記問題点を考慮してなしたものであり、冷蔵貯蔵室の一画に冷凍空間を配設し、この冷蔵貯蔵室と冷凍空間を区画する断熱仕切壁に温度補償ヒータを設けた冷蔵庫において、冷蔵室を加熱し過ぎることなく温度補償ヒータの通電効率の高い冷蔵庫を提供することを目的とする。
【００１２】
【課題を解決するための手段】
請求項１の発明は、冷蔵用蒸発器と冷蔵用ファンによって冷却される冷蔵貯蔵室と、冷凍用蒸発器と冷凍用ファンによって冷却される冷凍貯蔵室と、前記冷蔵貯蔵室の一画に設けられ自動製氷装置を有した製氷室と、前記冷蔵貯蔵室と前記製氷室を区画する断熱仕切壁と、この断熱仕切壁に取付けられ前記冷蔵貯蔵室の冷え過ぎを防止する温度補償ヒータとを備え、前記製氷室が製氷運転中であるか否かを検出し、製氷中でなければ、前記温度補償ヒータ出力を減少又は温度補償ヒータを停止させることを特徴とするものである。
【００１３】
本発明によれば、冷凍室と離間した製氷室の製氷動作に合わせて温度補償ヒータの通電制御を行うことにより、冷蔵室を加熱し過ぎることなく温度補償ヒータの通電を効果的に運転制御することができる。
【００１４】
請求項２の発明は、貯蔵庫本体上部に設け冷蔵用蒸発器と冷蔵用ファンによって冷却される冷蔵貯蔵室と、貯蔵庫本体下部に設け冷凍用蒸発器と冷凍用ファンによって冷却される冷凍貯蔵室と、この冷凍貯蔵室と離間して前記冷蔵貯蔵室の一画に設けられ自動製氷装置を有した製氷室と、この製氷室に冷凍用蒸発器で生成された冷気を供給するダクトと、このダクトを介して前記冷凍用蒸発器で生成された冷気を前記製氷室に送風する補助ファンと、前記冷蔵室と前記製氷室を区画する断熱仕切壁と、この断熱仕切壁に取付けられ前記冷蔵貯蔵室の冷え過ぎを防止する温度補償ヒータとを備え、前記製氷室が製氷中であるか否かを検出し、製氷中でなければ、前記補助ファンを停止させるとともに、前記温度補償ヒータ出力を減少又は温度補償ヒータを停止させることを特徴とするものである。
【００１５】
本発明によれば、製氷動作以外の際には、補助ファンを停止させることにより製氷室を過剰に冷却することなく、氷が溶けない程度の低温度を保持することができるとともに、この場合、製氷中と比較して庫内温度は上昇するため、温度補償ヒータ出力を減少又は停止させることにより、冷蔵室を加熱し過ぎることなく、効果的に通電制御することができる。
【００１６】
請求項３の発明は、冷蔵用蒸発器と冷蔵用ファンによって冷却される冷蔵貯蔵室と、冷凍用蒸発器と冷凍用ファンによって冷却される冷凍貯蔵室と、前記冷蔵貯蔵室の一画に設け、前記冷凍用蒸発器で生成された冷気により冷却される冷凍空間と、前記冷蔵貯蔵室と前記冷凍空間を区画する断熱仕切壁と、この断熱仕切壁に取付けられ前記冷蔵貯蔵室の冷え過ぎを防止する温度補償ヒータとを備え、冷蔵貯蔵室又は冷凍貯蔵室において過負荷が生じているか否かを検出し、過負荷が生じていれば前記温度補償ヒータ出力を減少又は温度補償ヒータを停止させることを特徴とするものである。
【００１７】
本発明によれば、過負荷が生じた場合に、温度補償ヒータの出力を減少させ、又は停止させることにより、過剰に加熱することを防止することができるとともに、温度補償ヒータの通電制御を効果的に行うことができる。
【００１８】
請求項４の発明は、冷蔵貯蔵室又は冷凍貯蔵室の庫内温度が所定値以上になったときに、過負荷が生じていると検出することを特徴とするものであり、確実に過負荷状態を検出することができる。
【００１９】
請求項５の発明は、外気温が所定値以上になったときに、過負荷が生じていると判断することを特徴とするものであり、庫外への熱リーク率が高い状態を確実に検出することができるため、温度補償ヒータの通電制御を効果的に行うことができる。
【００２０】
請求項６の発明は、冷蔵貯蔵室の前面開口を閉塞する扉と、この扉の開閉状態を検知する扉検知手段を備え、前記扉検知手段が、扉の開放を所定時間検出したときに、過負荷が生じていると判断することを特徴とするものであり、扉が長時間、例えば５分以上開放された場合は、庫外への冷気リークが著しく過負荷が生じることになり、係る場合を過負荷状態として、検出することにより温度補償ヒータの通電制御を効果的に行うことができる。
【００２１】
【発明の実施の形態】
以下、図面に基づき本発明の一実施形態について説明する。
【００２２】
図３に示すように、冷蔵庫貯蔵本体１は、上から順に冷蔵室２、野菜室３、冷凍室４を配設しており、冷凍室４内には、断熱材で区画した切替室６を設けている。
【００２３】
冷蔵室４の底部には、断熱仕切壁８で区画した製氷室５と、パーシャル室９を横並びに設けている。
【００２４】
冷蔵室４は、その前面開口部に両側を枢支した２枚扉７を設けて閉塞されており、いわゆる観音扉式となっている。野菜室３、冷凍室４、製氷室５の前面開口部には、それぞれ引出し式の扉１１，１２，１０を設けている。
【００２５】
図４に示すように冷蔵室２の上部背面には、冷蔵用蒸発器２１及び冷蔵用ファン２２を配設した冷蔵冷却器室２０を設けており、冷蔵冷却器室２０の左右両側には、冷気を庫内に吹出す冷蔵用吹出ダクト２３を設けている。右側の冷蔵用吹出ダクト２３は、野菜室３の上部の位置まで延在しており、野菜室３内に冷気を吹出すようになっている。
【００２６】
冷蔵冷却器室２０の下方には、野菜室３まで延在した冷蔵用リターンダクト２４を設けており、冷蔵室２及び野菜室３に吹出された冷気を、冷蔵用リターンダクト２４に穿設した吸込口２５より吸込み、冷蔵用冷却器室２０に戻すようになっている。
【００２７】
野菜室３及び冷凍室４の背面には、冷凍用ファン３２、冷凍用蒸発器３１を配設した冷凍冷却器室３０を設けている。この冷凍冷却器室３０の上部には、冷凍用蒸発器３１より生成された冷気を製氷室５に送風する製氷室送風ダクト３５を設けており、その左側には、製氷室５を冷却し終えた冷気を冷凍冷却器室３０に戻す製氷室リターンダクト３６を配設している。
【００２８】
冷凍用ファン３２の右側には、冷凍用蒸発器３１より生成された冷気を切替室６に送風する切替室送風ダクト３８を設けており、切替室６を冷却し終えた冷気は、切替室吸込口３９より冷凍冷却器室３０に戻ようになっている。
【００２９】
冷凍室冷却器室３０の下方には、冷凍用蒸発器３１より生成された冷気を冷凍室５に吹出す冷凍室吹出口４０を設けており、冷凍室５を冷却し終えた冷気は、冷凍室５の左側上部に設けられた冷凍室吸込口４１より冷凍冷却器室３０に戻るようになっている。
【００３０】
冷凍用蒸発器３１には、圧縮機８０の運転積算時間、例えば８時間周期毎に通電されて冷凍用蒸発器３１を除霜する除霜手段３３を設けており、この除霜手段３３は、例えばシーズヒータ、又はパイプヒータ及び樋ヒータなどより構成している。
【００３１】
また、冷蔵室２の左側底部には、図５に示すように給水タンク５４が着脱可能に設けられており、給水タンク５４の上部の蓋には、タンク内の水を外部に給水するための吐出パイプ５４ａを一体に形成している。吐出パイプ５４ａの一端は給水タンク内の底面まで延びて、給水タンク５４の隅部に配設したインペラを有する給水ポンプ５５ａを接続しており、他端は給水タンク５４の上方より庫内奥方向を経由して自動製氷装置に導かれている。
【００３２】
前記給水ポンプ５５ａと対向する給水タンク５４の外方の本体側には先端に磁石を備えた駆動モータ５５ｂを設置しており、その磁石を前記給水ポンプ５５ａの磁石と近接させて、駆動モータ５５ｂの回転力を非接触で給水ポンプに伝達し給水するように給水装置５５を構成している。
【００３３】
給水タンク５４内の水は、給水指令により、給水ポンプ５５ａから吐出パイプ５４ａを介して吸い上げられ、他端より庫内後方の壁面に設けた水受皿５７ａに導かれ、断熱仕切壁８内に埋設された給水パイプ５７を介して、製氷室５内に設けた自動製氷装置５３の製氷皿５６に給水される。
【００３４】
製氷室５には、開扉とともに庫外に大部分が取出される貯氷容器５ａ、上壁には自動製氷装置５３、背面には製氷室吸込口３８ａ、冷気吹出口３８ｂを穿設し、補助ファン５０を設けている。
【００３５】
自動製氷装置５７には、駆動モータやギアトレーン等からなる駆動機構や製氷皿５６の回転位置を検出する位置検出装置を収納した駆動装置５３ａおり、この駆動装置の背面から突出する駆動機構の出力軸に一端側が連結された製氷皿５６が配置されており、製氷皿５６の他端側は、製氷皿５６の２側辺を抱持するように駆動装置５３ａに取付けた枠体によって回動可能に支持されている。
【００３６】
そして製氷が完了して離氷する際には、製氷皿５６は駆動機構５３ａにより回動され上下反転するように構成されており、製氷皿５６の反転時には、前記枠体に設けたストッパー部によって製氷皿５６の他端を係止し、他端側の回動を規制して製氷皿５６にひねりを与えて製氷皿５６壁面から氷を剥離するようにしている。
製氷皿５６を反転し、離氷して氷を貯氷容器５ａに落下させた後は、再び製氷皿５６を逆方向へ回転させて元の水平位置に戻すように動作するものであり、このとき製氷の完了は製氷皿５６の裏面に取付けられた製氷センサ７４が所定温度、例えば−１９℃を検出することにより検知するよう制御されている。
【００３７】
また、駆動装置５３ａの側面には、貯氷容器５ａの貯氷量を検知する検氷レバー５３ｂが駆動機構による製氷皿の回転動作と連動するように取付けられている。この検氷レバー５３ｂは、離氷動作前に下方に動作させることで貯氷容器内の氷量を検出するものであり、貯氷量が多く検氷レバー５３ｂを氷の表面より所定量下げることができない場合は、満氷状態を検出して以降の離氷、及び給水動作を停止し、氷が取り出されて貯氷量が減るまで待機するものである。
【００３８】
一方、断熱仕切壁８の上面には、図３及び図５に示すようにアルミ泊ヒータよりなる温度補償ヒータ８１を貼着して断熱材中に埋設している。この温度補償ヒータ８１は、電圧の通電時間を調整して通電率を変更することができるようになっている。
【００３９】
図６は、本発明の制御装置６０のブロック図を示している。扉検知手段７０は、冷蔵室２、冷凍室４、製氷室５の扉７，１２，１０の開閉状態を検出して制御装置６０に入力するようになっており、いわゆるドアスイッチより構成されている。また、温度センサ７２は各室に設けられており、主にこの検知温度を制御装置６０に入力して冷却制御されるようになっている。製氷センサ７４は前述したように製氷皿５６の温度を検知し、また、検氷レバー５３ｂも同様に貯氷容器５ａ内が満氷となっているか検出して制御装置６０に入力するようになっている。
【００４０】
また、圧縮機８０、冷蔵用ファン２２、冷凍用ファン３２、補助ファン５０、温度補償ヒータ８１、除霜手段３３、自動製氷装置５３、給水装置５５、後述する三方弁８２などは制御装置６０の入力値に基いて運転制御されるようになっている。
【００４１】
このとき、検氷レバー５３ｂにより満氷を検出している場合、製氷センサ７４により給水タンク５４の水が無くなり給水できない状態を検出した場合、使用者が設定により製氷動作を停止させた場合、除霜中の場合などに製氷動作を停止させるようになっている。
【００４２】
一方、冷凍サイクルは、図示しないが能力可変式圧縮機８０、凝縮器、三方弁８２を直列に接続しており、三方弁８２の一方の吐出側には、キャピラリチューブ、冷凍用蒸発器３１を連結させた配管が圧縮機８０の吸込み側と接続され、他方の吐出側には、キャピラリチューブ、冷蔵用蒸発器２１を連結させた配管が、冷凍用蒸発器３１の入口側と接続されている。この冷凍サイクルは、制御装置６０の入力値に基いて、三方弁８２を交互に冷蔵用蒸発器２１と冷凍用蒸発器３１側に切替え各室を冷却するようになっている。
【００４３】
ここで、冷蔵庫の通常冷却運転について説明する。
【００４４】
冷蔵室２の庫内温度が目標温度より高い場合、又は冷凍室４の冷却運転時間が所定時間、例えば４０分経過した場合、三方弁８２を冷蔵用蒸発器２１側に冷媒が流れるように切替えて、冷蔵室２、野菜室３を冷却する。
【００４５】
この場合、冷蔵用蒸発器２１より生成された冷気を冷蔵用ファン２２の回転により、冷蔵用吹出ダクト２３から冷蔵室２及び野菜室３に送風して冷却する。
【００４６】
一方、冷凍室４の庫内温度が目標温度より高い場合、又は冷蔵室２の冷却運転時間が所定時間、例えば２０分経過した場合、三方弁８２を冷凍用蒸発器３１側に冷媒が流れるように切替えて、冷凍室４、製氷室５、切替室６を冷却する。
【００４７】
具体的には、庫内温度に基き冷凍用ファン３２を回転させて冷凍用蒸発器３１より生成された冷気を冷凍室吹出口４０、製氷室送風ダクト３５、切替室送風ダクト３８を介し各室に送風して冷却する。このとき、冷蔵用ファン２２は回転させておくことにより、冷蔵用蒸発器２１の除霜を行っている。
【００４８】
また、圧縮機８０の運転積算時間が所定時間経過していると、除霜装置３３に通電して除霜運転を開始し、冷凍用蒸発器３１が所定温度、例えば３度に達すると通電を遮断して除霜運転を終了させる。このとき、圧縮機８０及び各ファンは停止させておくようにしている。
【００４９】
次に、温度補償ヒータ８１の通電制御について、図１のフローチャートに基いて説明する。
【００５０】
ステップ１では、通常の冷却運転を行っている（Ｓ１）。
【００５１】
ステップ２では、製氷中であるか否かを検出し（Ｓ２）、製氷中であればステップ６に進み、そうでなければステップ３に進む。
【００５２】
ステップ３では、製氷動作を停止させている状態なので、製氷中は、氷が溶けない程度の温度で保持すればよく、強制的に冷気を送風する必要がないため補助ファン５０を停止させて（Ｓ３）、ステップ４に進む。
【００５３】
ステップ４では、前ステップで補助ファン５０を停止させており、庫内温度は氷が溶けない比較的高温、例えば−１２度〜−１８度に保持されるため、冷蔵室２に与える影響が少なくなる。そこで、温度補償ヒータの通電率を低く設定、例えば７０％に設定して（Ｓ４）、冷蔵室２を過剰に加熱されるのを防止するとともに、温度補償ヒータの通電効率を向上させる。
【００５４】
ステップ５では、給水されたか否かを検出する（Ｓ５）。具体的には、満氷中の際に、検氷レバー５３ｂの検氷動作により満氷でなくなったことを検出すると、離氷を待機している製氷皿５６を反転させて離氷し、給水装置５５が給水させて製氷動作に移行する。よって、給水装置５５が給水動作に入った場合には、製氷動作が開始されると判断して、ステップ６に進む。一方、給水動作がされていなければ、依然として製氷動作を行わず、庫内温度の変化はないと判断してステップ１に戻る。
【００５５】
なお、給水動作を検出するときは、上記の他に、図示しない操作パネルの設定により製氷動作を停止させておいた際に、解除されて製氷を開始する給水指令が入った場合、給水タンク５４に水がないときに、所定の周期ごとに給水動作をさせても製氷皿５６が温度上昇した場合などがある。
【００５６】
ステップ６では、製氷中であると、迅速に製氷を行うことが必要であるとともに、離れた冷凍蒸発器３１から製氷室５に十分な冷気量を送風すべく、補助ファン５０を回転させて（Ｓ６）、ステップ７に進む。
【００５７】
ステップ７では、補助ファン５０の回転に伴い、製氷室５が冷凍室４と略同温まで冷却されるため、温度補償ヒータ８１の通電率を高く、例えば１００％に設定して通電制御を行う（Ｓ７）。そして、ステップ１に戻るようになっている。
【００５８】
上記構成によれば、冷凍室４と離間した製氷室５の製氷動作に合わせて温度補償ヒータ８１の通電制御を行うことにより、冷蔵室２を加熱し過ぎることなく温度補償ヒータ８１の通電を効果的に運転制御することができる。
【００５９】
また、製氷動作以外の際には、補助ファン５０を停止させることにより製氷室５を過剰に冷却することなく、氷が溶けない程度の低温度を保持することができるとともに、この場合、製氷中と比較して庫内温度は上昇するため、温度補償ヒータ８１の出力を減少又は停止させることにより、冷蔵室２を加熱し過ぎることなく、効果的に通電制御することができる。
【００６０】
次に、温度補償ヒータ８１通電制御の他の実施形態について、図２のフローチャートに基いて説明する。
【００６１】
ステップ１０では、通常の冷却運転を行っており（Ｓ１０）、ステップ２に進む。
【００６２】
ステップ１１では、冷凍室４の温度が所定値以上、例えば−１２度以上か否かを検出して（Ｓ１１）、所定値より大きければ、冷凍室４に過負荷が生じていると判断してステップ１８に進み、所定値以下であれば、冷凍室４に過負荷が生じていないと判断してステップ１２に進む。
【００６３】
ステップ１２では、冷蔵室２の温度が所定値以上、例えば１２度以上か否かを検出して（Ｓ１２）、所定値より大きければ、冷蔵室２に過負荷が生じていると判断してステップ１８に進み、所定値以下であれば、冷蔵室２に過負荷が生じていないと判断してステップ１３に進む。
【００６４】
ステップ１３では、冷蔵室２の扉が長時間、ここでは５分以上開放されると、庫内の冷気は庫外へ流出し、庫内の温度が著しく上昇するとともに、その後の冷却運転においては過負荷が生じた状態で冷却することになる。そこで、冷蔵室２の扉７が５分以上開放されたか否かを検出して（Ｓ１３）、５分以上開放されると庫内の温度は著しく上昇しているか、または上昇する見込みがあると判断してステップ１８に進み、そうでなければ、冷蔵室２には、過負荷が生じていないと判断してステップ１４に進む。
【００６５】
ステップ１４によれば、庫内温度が高い場合の他に急速冷却運転などが要求されているときは、迅速に冷却させる必要があるため圧縮機８０を最高速の回転数で回転させる。そこで、圧縮機８０が最高速で運転されているか否かを検出して（Ｓ１４）、最高速で運転されていれば、庫内を冷却することが最も優先されるべきであると判断してステップ１８に進み、そうでなければ、庫内温度を一定に保持するためにステップ１５に進む。
【００６６】
ステップ１５では、外気温が比較的高温、ここでは２２度以上であると、庫外への熱リーク率が高くなり、冷却運転において過負荷が生じ易くなる。そこで、外気温が２２度以上であるか否かを検出し（Ｓ１５）、２２度以上であれば、過負荷が生じ易いと判断してステップ１６に進み、そうでなければ、庫外への熱リークは少ないと判断してステップ１７に進む。
【００６７】
ステップ１６では、冷蔵室２や冷凍室４などに過負荷が生じていないが、外気温が高いため温度補償ヒータ８０の通電率を低く設定し、例えば５０％に設定して（Ｓ１６）、ステップ１０に戻る。
【００６８】
ステップ１７では、冷蔵室２や冷凍室４などに過負荷が生じておらず、外気温も比較的低いため、温度補償ヒータ８０の通電率を高く設定し、例えば１００％に設定して（Ｓ１７）、ステップ１０に戻る。
【００６９】
ステップ１８では、各ステップ（Ｓ１１〜Ｓ１４）において、過負荷が生じている場合や、庫内冷却を優先する必要がある場合に、温度補償ヒータ８０の通電を行うと、却って冷蔵室を加熱し過ぎることなり、庫内冷却を迅速に行うことができないため、温度補償ヒータ８０の通電を停止させて（Ｓ１８）、ステップ１０に戻る。
【００７０】
なお、完全に温度補償ヒータ８０を停止させておく必要はなく、制御装置６０からの要求に応じて低出力、例えば１０％通電させたり、断続的に通電と停止を繰り返すように行ってもよい。
【００７１】
上記構成によれば、過負荷が生じた場合に、温度補償ヒータ８０の出力を減少させ、又は停止させることにより、過剰に加熱することを防止することができるとともに、温度補償ヒータ８０の通電制御を効果的に行うことができる。
【００７２】
各貯蔵室の庫内温度が所定値以上になったときに、過負荷が生じていると検出することにより、確実に過負荷状態を検出することができる。
【００７３】
また、外気温が所定値以上になったときに、過負荷が生じていると判断することにより、庫外への熱リーク率が高い状態を確実に検出することができるため、温度補償ヒータ８０の通電制御を効果的に行うことができる。
【００７４】
さらに、冷蔵室２の扉７の開放を所定時間検出したときに、過負荷が生じていると判断することにより、扉が長時間、例えば５分以上開放された場合は、庫外への冷気リークが著しく過負荷が生じることになり、係る場合を過負荷状態として検出することにより、確実に過負荷状態を検出することができ、もって温度補償ヒータ８０の通電制御を効果的に行うことができる。
【００７５】
以上の説明では、冷凍空間を製氷室として説明したが、過負荷状態を検出する制御方法においては、製氷室に限ることなく、切替室、冷凍室などの冷凍空間であればよく、また自動製氷装置を取り除き冷凍室として使用してもよい。
【００７６】
また、温度補償ヒータの通電制御は種々の組合せが可能あり、補助ファンの動作についても、氷結防止のため常時運転するように行うようにした場合は、補助ファンの動作と同期して温度補償ヒータの通電制御を行ってもよい。
【００７７】
さらに、上述した運転制御を野菜室などの底面に設けた温度補償ヒータに応用しても有効である。
【００７８】
なお、過負荷が生じていると判断する条件などは冷蔵庫の容積、レイアウト、ダクトの長さ等において最適値に変更できるものであることは言うまでもない。
【００７９】
【発明の効果】
冷蔵貯蔵室の一画に冷凍空間を配設し、この冷蔵貯蔵室と冷凍空間を区画する断熱仕切壁に温度補償ヒータを設けた冷蔵庫において、冷蔵室を加熱し過ぎることなく温度補償ヒータの通電効率の高い冷蔵庫を得ることができる。
【図面の簡単な説明】
【図１】本発明の実施形態を示すフローチャートである。
【図２】本発明の他の実施形態を示すフローチャートである。
【図３】本発明の冷蔵庫を示す概略斜視図である。
【図４】扉を省略した図５の冷蔵庫を示す正面図である。
【図５】本発明の製氷室及び給水経路を示す拡大断面図である。
【図６】本発明の実施形態を示す制御ブロック図である。
【符号の説明】
１…冷蔵庫本体　　　　　　　　２…冷蔵室　　　　　　　　　　３…野菜室
４…冷凍室　　　　　　　　　　　　　５…製氷室　　　　　　　　　６…切替室
７，１０，１１，１２…扉　２１…冷蔵用蒸発器　　　　　２３…冷蔵用ファン
３１…冷凍用蒸発器　　　　　　３２…冷凍用ファン　　　　　３３…除霜手段
３５…製氷室送風ダクト　　３６…製氷室リターンダクト　３７…製氷室吸込口
５０…補助ファン　　　　　５３…自動製氷装置　　　　５３ａ…駆動装置
５３ｂ…検氷レバー　　　　　　５４…給水タンク　　　　　　５５…給水装置
５５ａ…給水ポンプ　　　　　５５ｂ…駆動モータ　　　　　　５６…製氷皿
６０…制御装置　　　　　　　６１…氷結防止制御手段　　　６２…タイマ
７０…扉検知装置　　　　　　７４…製氷センサ　　　　　　８０…圧縮機
８１…温度補償ヒータ　　　　８２…三方弁
【図１】
2004108625.tif 000003
【図２】
2004108625.tif 000004
【図３】
2004108625.tif 000005
【図４】
2004108625.tif 000006
【図５】
2004108625.tif 000007
【図６】
2004108625.tif 000008